【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
延在ニップ（Ｎ）を持つ装置のための支持本体（７）であって、前記ニップは２つの接触表面（４、１３）によって画成され、前記支持本体（７）は弾性変形可能であり、一つの圧力チャンバ（１４；５６；６０）又は幾つかの圧力チャンバ（４０；４３；６２）を含み、前記圧力チャンバ（１４；５６；６０）又は前記幾つかの圧力チャンバ（４０；４３；６２）の夫々は、前記ニップ（Ｎ）に負荷を加えるために加圧下に置かれるように構成されている、支持本体（７）において、前記支持本体（７）には、前記圧力チャンバ（１４；５６；６０）又は前記幾つかの圧力チャンバ（４０；４３；６２）の夫々の前記ニップ（Ｎ）に面する側を除き、前記圧力チャンバ（１４；５６；６０）又は前記幾つかの圧力チャンバ（４０；４３；６２）の夫々のためのカウンタ支持体が設けられており、そのため前記圧力チャンバ（１４；５６；６０）又は前記幾つかの圧力チャンバ（４０；４３；６２）の夫々が前記ニップ（Ｎ）に向かう方向に膨張する、ことを特徴とする支持本体（７）。
【請求項２】
請求項１に記載の支持本体（７）において、前記ニップ（Ｎ）が、前記支持本体（７）の接触表面（１３）及び対向する表面（４）によって画成されており、前記支持本体（７）の前記接触表面（１３）が、前記対向する表面（４）に対してこの表面との相互作用にて適合可能である、ことを特徴とする支持本体（７）。
【請求項３】
請求項１又は２に記載の支持本体（７）において、前記カウンタ支持体は保持装置（８）によって形成されている、ことを特徴とする支持本体（７）。
【請求項４】
請求項１乃至３のいずれか一項に記載の支持本体（７）において、前記装置及びニップ形成作業位置にある前記支持本体（７）の作動において、前記支持本体（７）は、前記圧力チャンバ（１４；５６；６０）内の、又は前記幾つかの圧力チャンバ（４０；４３；６２）の少なくとも一つ内の圧力の変化が、プレス曲線の変化を伴う前記ニップ（Ｎ）内の対応する圧力変化を引き起こすように構成されている、ことを特徴とする支持本体（７）。
【請求項５】
請求項２乃至４のうちのいずれか一項に記載の支持本体（７）であって、幾つかの閉鎖した圧力チャンバ（４０；４３；６２）を含む支持本体（７）において、
−  各圧力チャンバ（４０；４３；６２）は、前記接触表面（１３）の対向する接触ゾーン（１５；４１；４４）を画成し、
−  前記支持本体（７）は変形可能な上壁（３１）を有し、この上壁が、前記接触表面（１３）を画成し且つ前記圧力チャンバ（４０；４３；６２）内の圧力によって能動的に影響が及ぼされるように構成されており、二つの外側の弾性変形可能な側壁（２８、２９）が、前記上壁（３１）に連結されており且つ前記上壁（３１）を変位するために前記圧力チャンバ（４０；４３；６２）内の増大された圧力で弾性的に膨張するように構成されており、前記下壁（３０）は前記二つの外側壁（２８、２９）に連結されている、ことを特徴とする支持本体（７）。
【請求項６】
請求項１乃至５のうちのいずれか一項に記載の支持本体（７）において、前記連続した圧力チャンバ（４０；４３；６２）は、軸線方向に貫通しており、隔壁（３９；６１）によって分離されている、ことを特徴とする支持本体（７）。
【請求項７】
請求項５又は６に記載の支持本体（７）において、前記圧力チャンバ（４０；４３；６２）内の圧力は、所望のプレス曲線を得るために、所定のパターンに従って調節されるように構成されている、ことを特徴とする支持本体（７）。
【請求項８】
請求項５乃至７のいずれか一項に記載の支持本体（７）において、一部品でできている、ことを特徴とする支持本体（７）。
【請求項９】
請求項１乃至８のうちのいずれか一項に記載の支持本体（７）において、前記支持本体（７）は、０ｋＮ／ｍから３０００ｋＮ／ｍまで変化する前記ニップ（Ｎ）の負荷にて作動するようになっている、ことを特徴とする支持本体（７）。
【請求項１０】
請求項１乃至９のうちのいずれか一項に記載の支持本体（７）において、機械方向で５０ｍｍ乃至５００ｍｍの寸法を有する、ことを特徴とする支持本体（７）。
【請求項１１】
請求項１乃至１０のうちのいずれか一項に記載の支持本体（７）において、前記保持装置（８）は、周方向に見て、前記支持本体（７）の接触表面（１３）以外の全ての表面に対する外カウンタ支持体である、ことを特徴とする支持本体（７）。
【請求項１２】
請求項１乃至１０のうちのいずれか一項に記載の支持本体（７）において、前記カウンタ支持体は、全部又は一部が前記支持本体に埋設された内カウンタ支持体であり、
前記内カウンタ支持体は、形態が安定した輪郭を有する、ことを特徴とする支持本体（７）。
【請求項１３】
請求項１２記載の支持本体（７）において、形態が安定した一つの輪郭が、少なくとも一つの前記圧力チャンバ（１４；４０；４３；５６；６０；６２）内に配置されている、ことを特徴とする支持本体（７）。
【請求項１４】
請求項１２記載の支持本体（７）において、形態が安定した一つの輪郭が、各々の前記圧力チャンバ（４０；４３；６２）内に配置されている、ことを特徴とする支持本体（７）。
【請求項１５】
請求項１２乃至１４のいずれか一項に記載の支持本体（７）において、前記輪郭が矩形であり、
前記ニップ（Ｎ）に面する前記輪郭の面が孔を有し、これにより、前記圧力チャンバ内の圧力が前記上壁（３１）上に作用する、ことを特徴とする支持本体（７）。
【請求項１６】
請求項２乃至１０のうちのいずれか一項に記載の支持本体（７）のための保持装置（８）において、周方向に見て、前記支持本体（７）の接触表面（１３）以外の全ての表面に対する外カウンタ支持体を形成するために、前記支持本体（７）を受け入れるための空間（１６）を有し、及び／又は圧力チャンバ（１４；５６；６０）又は圧力チャンバ（４０；４３；６２）の夫々に対し、前記接触表面（１３）に面する側以外に内カウンタ支持体を形成するために、全部又は一部が前記支持本体に埋設されている、ことを特徴とする保持装置（８）。
【請求項１７】
第１構造エレメント（１）及び延在ニップ（Ｎ）を形成するときに前記第１構造エレメント（１）と相互作用するために移動自在に構成された第２構造エレメント（２）を含み、前記第１構造エレメント（１）は移動自在の布（６）及び弾性変形可能な支持本体（７）を含み、圧力チャンバ（１４；５６；６０）又は幾つかの圧力チャンバ（４０；４３；６２）を含み、前記圧力チャンバ（１４；５６；６０）又は前記幾つかの圧力チャンバ（４０；４３；６２）の夫々は、前記ニップ（Ｎ）に負荷を加えるために加圧下に置かれように構成されている、抄紙機又は板紙抄紙機で製造される繊維ウェブ（Ｗ）を処理するための装置において、前記支持本体（７）には、前記圧力チャンバ（１４；５６；６０）又は前記幾つかの圧力チャンバ（４０；４３；６２）の夫々に対し、前記圧力チャンバ（１４；５６；６０）又は前記幾つかの圧力チャンバ（４０；４３；６２）の夫々の前記ニップ（Ｎ）に面する側を除いてカウンタ支持体が設けられ、これにより、前記圧力チャンバ（１４；５６；６０）又は前記幾つかの圧力チャンバ（４０；４３；６２）の夫々は前記ニップ（Ｎ）に向かう方向で膨張し、これによって、前記装置及びニップ形成作動位置にある前記支持本体（７）の作動において、前記支持本体（７）は、前記圧力チャンバ（１４；５６；６０）内の、又は前記幾つかの圧力チャンバ（４０；４３；６２）のうちの少なくとも一つ内の圧力の変化が、プレス曲線の変化を伴う前記ニップ（Ｎ）内の対応する圧力変化を引き起こすように構成されている、ことを特徴とする装置。
【請求項１８】
請求項１７に記載の装置において、前記カウンタ支持体は保持装置（８）によって形成されている、ことを特徴とする装置。
【請求項１９】
請求項１７又は１８に記載の装置において、前記支持本体（７）は、請求項１乃至１２のうちのいずれか一項に従って設計されている、ことを特徴とする装置。
【請求項２０】
第１プレスエレメント（１）及び延長プレスニップ（Ｎ）を形成するときに前記第１プレスエレメント（１）と相互作用するために移動自在に構成された第２プレスエレメント（２）を含み、前記第１プレスエレメント（１）は移動自在のベルト（６）及び弾性変形可能なプレス本体（７）を含み、圧力チャンバ（１４；５６；６０）又は幾つかの圧力チャンバ（４０；４３；６２）を含み、前記圧力チャンバ（１４；５６；６０）又は前記幾つかの圧力チャンバ（４０；４３；６２）の夫々は、前記ニップ（Ｎ）に負荷を加えるために加圧下に置かれように構成されている、抄紙機又は板紙抄紙機で製造される繊維ウェブ（Ｗ）を処理するためのプレスにおいて、前記プレス本体（７）には、前記圧力チャンバ（１４；５６；６０）又は前記幾つかの圧力チャンバ（４０；４３；６２）の夫々に対し、前記圧力チャンバ（１４；５６；６０）又は前記幾つかの圧力チャンバ（４０；４３；６２）の夫々の前記ニップ（Ｎ）に面する側を除いてカウンタ支持体が設けられ、これにより、前記圧力チャンバ（１４；５６；６０）又は前記幾つかの圧力チャンバ（４０；４３；６２）の夫々は前記ニップ（Ｎ）に向かう方向で膨張し、これによって、前記プレス及びニップ形成作動位置にある前記プレス本体（７）の作動時に、前記プレス本体（７）は、前記圧力チャンバ（１４；５６；６０）内の、又は前記幾つかの圧力チャンバ（４０；４３；６２）のうちの少なくとも一つ内の圧力の変化が、プレス曲線の変化を伴う前記ニップ（Ｎ）内の対応する圧力変化を引き起こすように構成されている、ことを特徴とするプレス。
【請求項２１】
請求項２０に記載のプレスにおいて、前記カウンタ支持体は保持装置（８）によって形成されている、ことを特徴とするプレス。
【請求項２２】
請求項２０又は２１に記載のプレスにおいて、前記対向する表面（４）及び／又はプレス表面（１３）は加熱されるように構成されている、ことを特徴とするプレス。
【請求項２３】
請求項２０乃至２２のいずれか一項に記載のプレスにおいて、前記プレス本体（７）は、請求項１乃至１２のうちのいずれか一項に従って設計されている、ことを特徴とするプレス。
【請求項２４】
プレス装置にて延在ニップ（Ｎ）を形成し、前記延在ニップ（Ｎ）内の負荷を制御する方法であって、前記プレス装置は、弾性変形可能な支持本体（７）を含み、圧力チャンバ（１４；５６；６０）又は幾つかの圧力チャンバ（４０；４３；６２）を含み、前記圧力チャンバ（１４；５６；６０）又は前記幾つかの圧力チャンバ（４０；４３；６２）は、夫々、前記ニップ（Ｎ）に負荷を加えるために加圧下に置かれるように構成されている、方法において、
−  前記チャンバのためのカウンタ支持体が前記支持本体（７）の下部分（３０）及び側部分（２８、２９）を支持するように前記カウンタ支持体内に前記支持本体（７）を取り付ける工程、
−  前記圧力チャンバ（１４；５６；６０）又は前記幾つかの圧力チャンバ（４０；４３；６２）のうちの少なくとも一つに増大された圧力を加える工程、
−  前記増大された圧力の作用で、前記支持本体（７）の上部分（３１）を、弾性変形可能であり且つ前記上部分（３１）に連結された前記支持本体（７）の前記側部分（２８、２９）の膨張によって、前記ニップ（Ｎ）に向かう方向に変位させる工程、及び
−  前記圧力チャンバ（４０；４３；６２）内の圧力を所定のパターンに従って設定し、所望のプレス曲線を得る工程、を含む、方法。
【請求項２５】
請求項２４に記載の方法において、前記圧力チャンバは、圧力チャンバ群を得るために機械方向及びこの機械方向に対して横方向の両方向に延びる隔壁によって画成されており、前記プレスニップ（Ｎ）内の負荷が機械方向及び／又はこの機械方向に対して横方向で独立して制御されるように各圧力チャンバ群の圧力は他の群の圧力とは独立して設定される、方法。
【請求項２６】
請求項１乃至１５のうちのいずれか一項に記載の支持本体（７）の、抄紙機又は板紙抄紙機のプレス装置のプレス本体（７）としての使用。
【請求項２７】
請求項１乃至１５のうちのいずれか一項に記載の支持本体（７）の、抄紙機又は板紙抄紙機の搬送装置用の支持ホイルとして又は抄紙機又は板紙抄紙機の巻き上げ装置の巻き上げ支持体としての使用。